【事件の表示】
　特願２０１７−１６７１６４「電磁波保護システム」拒絶査定不服審判事件〔平成３１年　３月２２日出願公開、特開２０１９−　４４２９０〕について、次のとおり審決する。
【結　論】
　本件審判の請求は、成り立たない。
【理　由】
第１．手続の経緯
　本願は、平成２９年８月３１日の出願であって、同年１２月１１日付けで拒絶理由通知がされ、平成３０年５月１０日に手続補正がなされ、同年８月３日付けで拒絶査定がされ、これに対し、同年１１月１４日付けで拒絶査定不服審判の請求がされるとともに、手続補正がなされたものである。
　
第２．平成３０年１１月１４日付の手続補正についての補正却下の決定
　
［補正却下の決定の結論］
　平成３０年１１月１４日付の手続補正（以下、「本件補正」という。）を却下する。
　
［理由］
１．補正の内容
　本件補正は、特許請求の範囲を補正するものであって、具体的には請求項１の記載を以下のとおりに補正するものである。
　なお、〈本件補正による請求項１〉における下線は補正箇所を表している。
〈本件補正前の請求項１〉
　「【請求項１】
　人体近くで動作する電気製品が放射する電磁波から人体を保護する第１の人体保護装置であって、電磁波反射体と電磁波吸収体とのどちらか一方あるいは両方が繊維状にされて使用者の視界及び音波伝播を妨げない程度に間隔を空けたメッシュ構造の布状幕が少なくとも前記使用者の顔面及び耳を覆う、第１の人体保護装置と、
　家庭電化製品や電力線から放射される電磁波から人体を保護する第２の人体保護装置であって、電磁波反射体と電磁波吸収体とが繊維状にされて編み込まれた布状の第２の人体保護装置と、
　電力線もしくはブレーカからの電磁波放射を抑制する第３の人体保護装置であって、板状の電磁シールドチップからなり該板状体が貼り付けられる面の反対面が表面積を大とする複雑構造をもつ第３の人体保護装置と、
　人体住環境外から到来する電磁波から人体を保護する第４の人体保護装置であって、内部に中空部分が設けられた板状の電磁シールドチップの表面に超高周波電磁波に共振して吸収する微細加工が施される、第４の人体保護装置と
　のいずれか１つ以上を備えて構成されることを特徴とする電磁波保護システム。」
〈本件補正による請求項１〉
　「【請求項１】
人体近くで動作する電気製品が放射する電磁波から人体を保護する第１の人体保護装置であって、電磁波反射体と電磁波吸収体と
の両
家庭電化製品や電力線から放射される電磁波から人体を保護する第２の人体保護装置であって、電磁波反射体と電磁波吸収体とが繊維状
細線と
その両方が
電力線もしくはブレーカからの電磁波放射を抑制する第３の人体保護装置であって、
電磁波反射体と電磁波吸収体との両方が編み込まれた
人体住環境外から到来する電磁波から人体を保護する第４の人体保護装置であって、内部に中空部分が設けられ
電磁波反射体と電磁波吸収体との両方が編み込まれた
テラヘルツ加工が施された
のいずれか１つ以上を備えて構成されることを特徴とする電磁波保護システム。」
２．本件補正に対する判断
　本件補正による請求項１における「電力線もしくはブレーカからの電磁波放射を抑制する第３の人体保護装置であって、
電磁波反射体と電磁波吸収体との両方が編み込まれた
　詳細は、以下のとおりである。
　出願当初の明細書等には、電力線やブレーカからの電磁波放射の抑制に関して、段落【００３１】〜【００３４】に、「電力線やブレーカからの電磁波放射を抑制」する「電磁シールドチップ３１」として「酸化鉄を主成分とするセラミック製のソフトフェライト（軟磁性）を板状チップに形成」されること、「最も電磁波が放出されている部分」に「電磁シールド４１」は「両面接着テープや接着剤にて貼り付け設置」されること、当該「設置により、電圧、電流の位相差変動を抑え、無効電力発生による電力損失を抑制すると共に人体に有害と思われる電磁波発生を抑えることができる」ことが記載されている。また、段落【００３５】〜【００３６】に、「電磁波シールドチップ５１」について、「設置貼り付け面及び反対面の表面が、凹凸加工５２されることで、表面積を大とし」、「電力線から放射される不要な電磁波を吸収し、ソフトフェライトの「電磁波熱変換特性を利用して電磁波エネルギーを熱に変換し大気中に熱放散」し、「表面積拡大加工により熱放散効率が上がり、電磁波吸収効率を高めて電圧、電流の位相関係を安定化し力率改善効果を高める」ことが記載されている。
　しかしながら、電力線やブレーカからの電磁波放射の抑制に関する上記記載には、電磁シールドチップとしてソフトフェライト（軟磁性）の板状チップを用い電磁波を吸収することが記載されるのみであり、電磁波反射体を用いることは記載も示唆もされていない。
　また、出願当初の明細書等には、請求項２を引用する請求項７，請求項８として、電磁波反射体と電磁波吸収体の両方が繊維状にして用いられる電磁シールドチップの構成が記載され、段落【００２０】に「電磁波反射体及び電磁波吸収体を繊維状細線とし、反射体あるいは吸収体のどちらか一方あるいは両方を編み込んだ布状あるいはチップ状とした保護装置とする」ことが記載されているものの、これらの記載は、電力線もしくはブレーカからの電磁波放射を抑制する保護装置に関する記載でも、貼り付けられる面の反対面が表面積を大とする複雑構造を持つ保護装置に関する記載でもない。
　その他に、「電磁波反射体と電磁波吸収体との両方が編み込まれた板状の電磁シールドチップ」に関する記載は無い。
　以上のことより、「電力線やブレーカからの電磁波放射を抑制」する「電磁シールドチップ」を「電磁波反射体と電磁波吸収体との両方が編み込まれた板状」で「貼り付けられる面の反対面が表面積を大とする複雑構造を持つ」ものとすることは、出願当初の明細書等には、記載も示唆もされていない。
３．むすび
　上記「２．」で検討したとおり、本件補正は、特許法第１７条の２第３項の規定に違反するものである。
　したがって、本件補正は、特許法第１５９条第１項において読み替えて準用する同法第５３条第１項の規定により却下すべきものである。
　よって、補正却下の決定の結論のとおり決定する。
第３．本願発明について
１．本願発明
　本件補正は上記のとおり却下されたので、本願の請求項１に係る発明は、上記「第２．」の「１．」の〈本件補正前の請求項１〉に記載されたとおりのものである。
　ここで、本願の請求項１には、「・・・第１の人体保護装置と、・・・第２の人体保護装置と、・・・第３の人体保護装置と、・・・第４の人体保護装置とのいずれか１つ以上を備えて構成されることを特徴とする電磁波保護システム」と記載されているから、本願の請求項１に係る発明は、以下の「第３の人体保護装置」のみで構成される「電磁波保護システム」である発明（以下、「本願発明」という。）を含むものである。
〈本願発明〉
「電力線もしくはブレーカからの電磁波放射を抑制する第３の人体保護装置であって、板状の電磁シールドチップからなり該板状体が貼り付けられる面の反対面が表面積を大とする複雑構造をもつ第３の人体保護装置、
　を備えて構成されることを特徴とする電磁波保護システム。」
２．引用文献の記載、引用発明等
ア．引用文献１
　原査定の拒絶の理由に引用された特開２０１７−１２１１４３号公報（以下、「引用文献１」という。）には、図面と共に次の記載がある。なお、下線は当審で付与した。
（ア）「【０００８】
　電力の伝送効率は電磁波の影響により低下する傾向がある。そこで、電磁波が多く発生しやすい分電盤周辺の電磁波を低減させることにより、電力の伝送効率の改善を図ることができる。本発明では、上記磁性体により分電盤周辺に発生した電磁波の磁束を収束させ、その磁束を導体板により熱に変換することができる。このため、電磁波が減衰され、電力の伝送効率を改善させることができる。従って、この電磁波減衰体を分電盤または分電盤の周辺に取り付けるだけで電力の伝送効率が改善されるので、低コスト且つ少ない手間で省電力化を図ることが可能となる。」
（イ）「【００１３】
　図１（ａ）は、電磁波減衰体１を正面側から見た斜視図であり、図１（ｂ）は、電磁波減衰体１を背面側から見た斜視図である。図１（ａ）に示すように、
電磁波減衰体１は、略矩形状の磁性体２と導体板３とが積層されて構成され
導体板３には粘着シールからなる粘着部４が固着されており、
【００１４】
　
磁性体２は、フェライトの粉末
を
焼成させたもので
【００１５】
　図２は、電磁波減衰体１を分電盤６の周辺（本実施例では、上方）に設置した状態を示す説明図である。
電磁波減衰体１を分電盤６の周辺に設置した場合、
周辺に発生した電磁波の磁束が磁性体２によって収束され
この収束された磁束が導体板３を貫通すると渦電流が生じ熱に変換され
分電盤６の周辺における電磁波を減衰させる
　上記下線部及び関連箇所の記載によれば、引用文献１には、電磁波減衰体として、以下の発明（以下、「引用発明」という。）が記載されている。
［引用発明］
「電磁波減衰体１は、略矩形状の磁性体２と導体板３とが積層されて構成され、導体板３には粘着シールからなる粘着部４が固着されており、
　磁性体２は、フェライトの粉末を焼成させたものであり、
　電磁波減衰体１を分電盤６の周辺に設置した場合、周辺に発生した電磁波の磁束が磁性体２によって収束され、この収束された磁束が導体板３を貫通すると渦電流が生じ熱に変換され、分電盤６の周辺における電磁波を減衰させる
　電磁波減衰体。」
イ．引用文献２
　原査定の拒絶の理由に引用された特開２０００−２６１１８４号公報（以下、「引用文献２」という。）には、図面と共に次の記載がある。
（ア）「【０００３】かかる問題の対策として、従来は鉄、アルミニウム、銅といった金属によるシールドが用いられてきた。しかし、これらの
金属を用いたシールドは輻射ノイズを反射させることによって外部に出さないことを目的とするため、
反射した輻射ノイズが輻射ノイズの発生源であるデジタル部品へ影響を与えてしまうという難点があった
【０００４】そこで、
磁化の大きな軟磁性の金属粉末を偏平状に加工し、これをポリマー中に配向させてシート状の電磁干渉抑制体を用いる方法
によると、金属粉末の損失成分を利用してノイズ成分を熱エネルギーに変換することによりノイズを除去することが可能となり、金属を用いる場合のような輻射ノイズの反射による機器への影響が問題にならない
ポリマー樹脂を含有させるため、その分金属粉末の割合が低下し、
ノイズ抑制効果が小さくなってしまわずを得ない
【０００５】このような問題点に鑑み、発明者は図７に示すような
フェライトコアプレート20を用いる
と、
輻射ノイズを吸収することにより除去
更に、フェライト自体を用いるので、
ノイズ除去効果も格段に大きくなる
【０００６】ところが、CPU等のように
高周波化の進む部品においては、部品自体が高熱を発し、それによる熱暴走を起こす危険性がある
かかる部品にフェライトコアプレート20を直接貼ると放熱性が悪化するという問題が生じた
又、フェライトの損失は一般に温度が高くなると、高温となる部品のノイズを十分に減衰させることができない
（イ）「【００１０】図１の１は、本願発明であるノイズ吸収体の一実施例である。
【００１１】尚、本願発明は、CPU等のデジタル部品の表面に直接貼り付け、ノイズを除去する為に用いられるが、本願発明はCPUの他電源の内部素子のような高周波部品にも用いることができる。
【００１２】
ノイズ吸収体１は、
放熱部である複数の凸部３を有し
この凸部３の存在により、ノイズ吸収体１の比表面積は増加し、これによって熱の発散が効果的に行え
素早くフェライトのノイズ吸収効果が十分発揮できる温度にまで冷却することができ
【００１３】さらに、比表面積をより大きくする為に、ノイズ吸収体１の片面のみならず両面に凸部３を設けても良いが、部品との接着効果が問題となるので、用途に応じた設計をすることが好ましい。尚、デジタル部品にノイズ吸収体１を貼る場合には、ポリミド系樹脂、又は、エポキシ樹脂等の耐熱性、熱伝導性の高いものを用いるのが好ましい。かかる熱伝導性の高い接着剤を用いることで、部品の発した熱が本願発明に伝わることとなり、本願発明の効果は一層高くなる。但し、部品の発する熱や部品自体の耐熱性を考慮して、接着剤は適宜変更する。」
（ウ）「【００１８】図６は、本願発明にかかるノイズ吸収体１を実際にCPU５に用いたものの概略図である。なお、ここでは、本願発明の実施の形態をより明確化すべく基板及びCPU以外の集積回路部品、ノイズ吸収体を接着するための樹脂は省略している。この図のように本願発明にかかるノイズ吸収体１は、CPU５の表面に接着して用いられることが好ましい。よりノイズ除去効果が高くなるからである。尚、図６では、CPU５の上面Aにのみノイズ吸収体１を接着しているが側面ａ，ｂ，ｃ，ｄにも同様にノイズ吸収体１を接着しても良い。側面からもノイズが輻射されるからである。但し、側面に接着する際には他の集積回路部品との関係を十分考慮する必要がある。導通等の恐れがあるからである。尚、ここで表面とは基板上にデジタル部品を搭載する際の搭載面Ｂを除いた部分のことである。」
（エ）図６には、
ノイズ吸収体１の貼り付けられる面の反対面に凸部３を設ける
　上記下線部及び関連箇所の記載によれば、引用文献２には、ノイズ吸収体に関して、以下の周知技術が記載されている。
「ノイズ吸収体１は、放熱部である複数の凸部３を有し、この凸部３の存在により、ノイズ吸収体１の比表面積は増加し、これによって熱の発散が効果的に行え、素早くフェライトのノイズ吸収効果が十分発揮できる温度にまで冷却することができ、
　ノイズ吸収体１の貼り付けられる面の反対面に凸部３を設ける技術」
３．対比・判断
ア．対比
　本願発明と引用発明とを対比する。
（ア）引用発明の「電磁波減衰体１」は、「分電盤６の周辺に設置した場合、」「分電盤６の周辺における電磁波を減衰させる」ものである。
　分電盤が電力線やブレーカ等により構成されていることは例示するまでもなく周知の事項であることを考慮すれば、引用発明の「電磁波減衰体１」は本願発明の「電力線もしくはブレーカからの電磁波放射を抑制する第３の人体保護装置」に相当する。
（イ）引用発明の「電磁波減衰体１」は、「略矩形状の磁性体２と導体板３とが積層されて構成され、」「電磁波の磁束が磁性体２によって収束され、この収束された磁束が導体板３を貫通すると渦電流が生じ熱に変換され、」「電磁波を減衰させる」ものである。
　一方、本願の明細書段落【００３１】には人体保護のための電磁シールドチップとして「ソフトフェライト（軟磁性体）を板状チップに成形している」こと、段落【００３５】には「電磁シールドチップ５１は電力線から放射される不要な電磁波を吸収し、ソフトフェライトの電磁波熱変換特性を利用して電磁波エネルギーを熱に変換」する記載があり、これらの記載を考慮すれば、本願発明の「第３の人体保護装置」の「板状の電磁シールドチップ」は、「ソフトフェライト（軟磁性体）を板状チップに成形し、電磁波熱変換特性を利用して電磁波エネルギーを熱に変換」するものである。
　したがって、引用発明の「電磁波の磁束が磁性体２によって収束され、この収束された磁束が導体板３を貫通すると渦電流が生じ熱に変換され、」「電磁波を減衰させる」ものである「略矩形状の磁性体２と導体板３とが積層」された構成は、本願発明の「板状の電磁シールドチップ」に相当する。
（ウ）引用発明の「電磁波減衰体」は「電磁波を減衰させる」ものであるから、「電磁波保護システム」ともいい得るものである。
　したがって、本願発明と引用発明との間には、次の一致点、相違点があるといえる。
〈一致点〉
「電力線もしくはブレーカからの電磁波放射を抑制する第３の人体保護装置であって、板状の電磁シールドチップからなる第３の人体保護装置
を備えて構成されることを特徴とする電磁波保護システム。」
〈相違点〉
　板状の電磁シールドチップについて、本願発明は「板状体が貼り付けられる面の反対面が表面積を大とする複雑構造をもつ」ものであるのに対し、引用発明はその旨特定されていない点。
イ．判断
〈相違点〉について
　まず、上記周知技術と本願発明の関係について検討する。
　上記周知技術の「凸部３」は、「ノイズ吸収体１の貼り付けられる面の反対面」に設けられ「ノイズ吸収体１の比表面積は増加し、これによって熱の発散が効果的に行え、素早くフェライトのノイズ吸収効果が十分発揮できる温度にまで冷却することができ」るものであるから、上記周知技術において「ノイズ吸収体１」に「凸部３」を設けることは、本願発明の「板状体が貼り付けられる面の反対面が表面積を大とする複雑構造をもつ」ものとすることに相当する。
　次に、相違点に係る構成の容易性について判断する。
　上記周知技術は「フェライトのノイズ吸収効果」を用いた「ノイズ吸収体１」に関するものであるから、引用発明と上記周知技術は共に、フェライトを用いた電磁波吸収体に関するものといえる。
　そして、引用発明が電磁波を熱に変換し減衰させるものであることを考慮すれば、引用発明に上記周知技術を適用し、電磁波減衰体の粘着部が固着された面と反対面に放熱部である凸部を設け、本願発明の上記相違点に係る構成とすることは、当業者が容易になし得たことである。
４．むすび
　以上のとおり、本願の請求項１に係る発明は、引用発明及び周知技術に基づいて、当業者が容易に発明をすることができたものであるから、特許法第２９条第２項の規定により特許を受けることができない。
　よって、結論のとおり審決する。